(57)【要約】【課題】背もたれと背支柱とをビス無しで簡単に連結できる構造を実現する。【解決手段】背もたれ（背板）２の背面に、左右のブラケット部４１を設け、このブラケット部４１に、継手部材４４の上部がピン４５で連結されている。ピン４５の左右端部はブラケット部４１の外側にはみ出た露出部になっている。背支柱１８の上端部には、継手部材及びブラケット部４１が入り込む抱持部５２を形成している。抱持部５２に設けた内壁５３に、ピン４５の露出部が上から嵌まる軸受け溝５４を形成している。継手部材４４と抱持部５２とは、係合爪５５と係合ボス部５７との係合によって連結される。背支柱１８に対する背もたれ２の連結は、ピン４５を軸受け溝５４に落とし込んでから、継手部材４４を背支柱１８に押し当てる簡単な作業によって行われる。ピン４５は、抱持部５２により抜け不能でかつ視認不能に保持されている。【選択図】図１１
2020039466.tif 000002
【特許請求の範囲】
【請求項１】
背もたれとその後ろに配置された背支柱とを備えており、前記背もたれは、左右長手のピンを介して前記背支柱に連結されている構成であって、
前記背もたれと背支柱とのうちいずれか一方に左右のブラケット部を設けて、前記左右のブラケット部に、前記ピンを介して継手部材が相対回動可能に連結されている一方、
前記背もたれと背支柱とのうち他方に、前記ピンが左右抜け不能に保持される左右の側板を有する抱持部が形成されていて、前記抱持部に、前記ピンが落とし込まれる軸受け溝を形成しており、
更に、前記抱持部と継手部材とに、前後方向から係合して前記ピンを軸受け溝から抜け不能に保持する係合部が形成されている、
椅子。
【請求項２】
前記背もたれの背面に左右のブラケット部を突設して、前記ブラケット部に、前記ピンによって前記継手部材が連結されている一方、
前記背支柱は、前記背もたれに向いた左右の側板を有する平断面コ字形の形態であって、上端部に前記抱持部を形成しており、前記背支柱と継手部材とに前記係合部を形成している、
請求項１に記載した椅子。
【請求項３】
前記係合部は、先端に鉤部を有する係合爪と、前記係合爪が嵌まり込む筒型の係合ボス部とで構成されている、
請求項１又は２に記載した椅子。
【請求項４】
前記抱持部に、着座者の体圧によって後ろ向きに押された前記ピンを後ろから支持する前傾姿勢の受けリブが形成されている、
請求項２又は３に記載した椅子。
【請求項５】
前記継手部材に、前記受けリブの下方に位置する上面板を設けており、前記上面板の前端には上向き片を設けている、
請求項４に記載した椅子。
【発明の詳細な説明】
【技術分野】
【０００１】
本願発明は、背もたれの取付け構造に特徴を有する椅子に関するものである。
【背景技術】
【０００２】
椅子は様々の形態があり、背もたれの形態や取付け構造も千差万別であるが、フィット性やクッション性の向上が要請されている。そこで、特許文献１には、背もたれを、多数のエレメントがヒンジ部によって連結された構成として、この背もたれを、その下端部は座アウターシェル等の座受け部材に回動可能に連結して、上下中途部は背支柱に回動可能に連結することにより、着座者の体圧によって背もたれの形態を変化させるようにした椅子が開示されている。
【０００３】
この特許文献１では、背もたれの上下中途部をピンで背支柱に連結するにおいて、背支柱の上端にピンを挿通してその両端部を背支柱の左右両側に露出させておく一方、背もたれには、ピンの露出部に上から嵌合する挿入穴を形成して、ピンの露出部を、背もたれにビスで固定した押さえ部材によって抜け不能に保持している。
【先行技術文献】
【特許文献】
【０００４】
【特許文献２】特開２０１７−８６３７５号公報
【発明の概要】
【発明が解決しようとする課題】
【０００５】
特許文献１の背もたれは、着座者の動きに対する形状変化の追従性に優れており、例えば、着座者が上半身を捩じると、上部のエレメントが集中的に変形して高いフィット性を確保できるなどの利点があり、従来にない画期的な椅子として評価できる。従って、その機能を活かして様々に展開できるといえるが、構造的にみると、展開に当たって改良の余地は残っているといえる。
【０００６】
例えば、背もたれの上下中途部をピンで背支柱に連結するにおいては、ビスで固定された押さえ部材によって連結状態を保持しているが、押さえ部材を使用すると、締結作業に手間が掛かったり、押さえ部材を手前から固定できない構造の背もたれには適用できないといった問題があるため、押さえ部材を使用せずに美麗かつ簡単に連結できる構造が要請されているといえる。
【０００７】
本願発明はこのような現状を契機して成されたものであり、背もたれを背支柱に連結することについて、改良された技術を提供しようするものである。
【課題を解決するための手段】
【０００８】
本願発明は様々な構成を含んでおり、その典型を各請求項で特定している。このうち請求項１の発明は、
「背もたれとその後ろに配置された背支柱とを備えており、前記背もたれは、左右長手のピンを介して前記背支柱に連結されている椅子において、
前記背もたれと背支柱とのうちいずれか一方に左右のブラケット部を設けて、前記左右のブラケット部に、前記ピンを介して継手部材が相対回動可能に連結されている一方、
前記背もたれと背支柱とのうち他方に、前記ピンが左右抜け不能に保持される左右の側板を有する抱持部が形成されていて、前記抱持部に、前記ピンが落とし込まれる軸受け溝を形成しており、
更に、前記抱持部と継手部材とに、前後方向から係合して前記ピンを軸受け溝から抜け不能に保持する係合部（係合手段）が形成されている」
という構成になっている。
【０００９】
請求項１の好適な展開例として、請求項２の発明では、
「前記背もたれの背面に左右のブラケット部を突設して、前記ブラケット部に、前記ピンによって前記継手部材が連結されている一方、
前記背支柱は、前記背もたれに向いた左右の側板を有する平断面コ字形の形態であって、上端部に前記抱持部を形成しており、前記背支柱と継手部材とに前記係合部を形成している」
という構成になっている。
【００１０】
請求項３の発明は、請求項１又は２において、
「前記係合部は、先端に鉤部を有する係合爪と、前記係合爪が嵌まり込む筒型の係合ボス部とで構成されている」
という構成になっている。
【００１１】
請求項４の発明は、請求項２又は３において、
「前記抱持部に、着座者の体圧によって後ろ向きに押された前記ピンを後ろから支持する前傾姿勢の受けリブが形成されている」
という構成になっている。なお、請求項４で特定している前傾姿勢とは、ピンが当たる面が前傾姿勢になっているということである。
【００１２】
請求項５の発明は、請求項４において、
「前記継手部材に、前記受けリブの下方に位置する上面板を設けており、前記上面板の前端には上向き片を設けている」
という構成になっている。
【発明の効果】
【００１３】
本願発明において、背もたれを背支柱に向けて移動させてピンを軸受け溝に落とし込み、その状態で、継手部材を部材に押し付けて係合部を互いに係合させると、ピンが軸受け溝から抜け不能に保持されて、背支柱に対して背もたれが取付けられる。
【００１４】
従って、ごく簡単な作業により、背もたれを背支柱に離反不能に連結できる。かつ、ピンは抱持部の側板で左右から覆われているため、ピンが抜けることもないし、ピンが露出して美観を損なうこともない。従って、本願発明では、背支柱に対する背もたれの連結を、美麗な外観を保持しつつ、ビスを使用せずに簡単に行える。
【００１５】
背もたれに抱持部を形成して、背支柱に継手部材を連結しておくことも可能であるが、この場合は、背支柱の外側に抱持部が露出するため、背支柱と抱持部との境界が人目に触れて美観を悪化させるおそれがある。これに対して請求項２のように、背もたれに継手部材を連結して背支柱に抱持部を設けると、背支柱に設けた抱持部で継手部材などの部材をすっぽりと覆うことができるため、スッキリとした外観にして美観を向上できる。
【００１６】
係合部は様々な組み合わせを採用できるが、請求項３のように、係合爪と筒型係合ボス部との組み合わせを採用すると、係合爪の動きを筒型係合ボス部によって拘束できるため、係合状態の保持を確実化できる利点がある。なお、係合部の他に、位置決め突起と位置決め穴との嵌め合わせによる位置決め手段を併用すると、背もたれの動きが係合爪に波及することを防止できるため、係合状態の維持効果を更に向上できる。
【００１７】
着座者した人が背もたれにもたれ掛かると、体圧がピンを介して抱持部の軸受け溝に押圧力として作用するが、ピンに作用した押圧力を軸受け溝のみで支持すると、ピンに大きな曲げ力が作用して耐久性が低下するおそれがある。また、体圧の分力がピンを上向き動させるように作用すると、ピンが軸受け溝から抜け勝手になってしまう。
【００１８】
これに対して請求項４の構成を採用すると、押圧力を受けリブで支持できるため、ピンに対する負担を軽減してピンの耐久性を向上できる。また、受けリブは前傾姿勢であるため、後ろ向きの押圧力によってピンは下向きにガイドされて、軸受け溝に深く嵌まるような傾向を呈する。このため、ピンが軸受け溝から抜ける方向に移動することを防止して、背もたれをガタ付きのない状態に後傾させることができる。
【００１９】
そして、長期に亙って使用していると受けリブから樹脂粉が出ることがあり、これが床等に落下して美観を損なうことがあるが、請求項５では、樹脂粉が発生しても継手部材の上面板で受けることができるため、美観の悪化を防止できる。
【図面の簡単な説明】
【００２０】
【図１】椅子の外観を示す図で、（Ａ）は前方斜視図、（Ｂ）は正面図、（Ｃ）は側面図である。
【図２】椅子の外観を示す図で、（Ａ）は背面図、（Ｂ）は後方斜視図、（Ｃ）は平面図である。
【図３】座を省略した状態での前方斜視図である。
【図４】（Ａ）は座クッションと背もたれとを分離した状態の斜視図、（Ｂ）は座インナーシェルを分離した状態の斜視図である。
【図５】（Ａ）は分離斜視図、（Ｂ）は下方から見た斜視図である。
【図６】座を省略した状態で正面図である。
【図７】（Ａ）は背もたれの側面図、（Ｂ）の背もたれの平面図である。
【図８】（Ａ）は背板の下端の取付け構造を示す斜視図、（Ｂ）は背板の取付け手順の一部を示す分離斜視図である。
【図９】（Ａ）は図３のIX-IX 視断面図、（Ｂ）は背もたれの下部の連結構造を示す分離斜視図である。
【図１０】（Ａ）（Ｂ）とも、背支柱に対する背板の連結構造を示す斜視図である。
【図１１】（Ａ）は背支柱に対する背板の連結構造を示す斜視図、（Ｂ）は背支柱の部分斜視図、（Ｃ）はブラケットの斜視図である。
【図１２】背板と背支柱との連結部を中心にした縦断側面図であり、取付け手順を示すため背板を併記している。
【発明を実施するための形態】
【００２１】
(1).概要
次に、本願発明の実施形態を説明する。本願発明は、オフィス等で使用されている回転椅子に適用している。まず、図１〜５を参照して、椅子の概要を説明する。椅子は、座１と背もたれ２と脚装置３とを備えている。脚装置３は、５本の枝杆と脚支柱４（ガスシリンダ）を備えており、各枝杆の先端にキャスタを設けている。
【００２２】
背もたれ２は、合成樹脂製の背板のみで構成されている。従って、本実施形態では背もたれ２と背板とは同じあり、以下では、背板の意味として背もたれ２の文言を使用する。なお、背もたれ２は、背板の前面に背クッションを張った構造と成したり、背板（背インナーシェル）を化粧用のクロスで覆った構造と成したりすることも可能であり、この場合は、背もたれ２と背板とは異なる概念になる。
【００２３】
図５に示すように、脚支柱４の上端に平面視四角形のベース５を嵌着している。他方、例えば図４のとおり、座１は、合成樹脂製の座インナーシェル６に座クッション７を張って表皮材で覆った構造であり、座インナーシェル６は、合成樹脂製の座アウターシェル（座受け部材）８に連結している。そして、図５（Ｂ）から理解できるように、座アウターシェル８に、下向きに開口した底面視角形のボス部８ａが形成されており、ボス部８ａとベース５とを互いに嵌め合わせてビスで固定している。
【００２４】
脚支柱４の上端にはロックを解除するためのプッシュバルブ（図示せず）が突出しており、プッシュバルブは、例えば図３に示す前倒れ回動式の押圧部材９によって押し下げられる。押圧部材９は、座アウターシェル８に回動自在に連結されている。座アウターシェル８のうち押圧部材９よりも手前の部位には中継リンク１１が水平回動自在に取付けられており、中継リンク１１と押圧部材９とは、両端にボール（図示せず）を設けたワイヤー１０によって連結されている。
【００２５】
図３に簡単に示すように、中継リンク１１には、操作具の一例としての操作ベルト１３の一端が係止されている。操作ベルト１３の他端１３ａは、座アウターシェル８に形成したスリット穴１４（図（Ａ）（Ｂ）参照）から下方に延出しており、操作ベルト１３の他端１３ａを引っ張ると、中継リンク１１が水平回動して押圧部材９を下向きに回動させ、その結果、脚支柱のプッシュバルブが押し下げられて、ガスシリンダのロックが解除される。
【００２６】
背もたれ２の下端には前向き部１５が一体に形成されている一方、座アウターシェル８の後部上面に、スチール板等の金属板からなる左右長手の補強板（補強金具）１６が固定されており、補強板１６に形成した左右の軸受け部１７に、背もたれ２の前向き部１５が上向き動不能に保持されている。背もたれ２は、座アウターシェル８及び補強板１６に対して、僅かながら後傾可能になっている。
【００２７】
また、座アウターシェル８の後端には、背もたれ２の後ろに位置した上下長手の背支柱１８が一体に形成されており、背支柱１８の上端部に、背もたれ２のうち左右中間部でかつ上下中途高さ部位が連結されている。背もたれ２は、背支柱１８に対しても僅かに後傾可能に連結されている。なお、背支柱１８は、正確には、座アウターシェル８に繋がった前向きのロア部１８ａを有しており、ロア部１８ａの後端から上向きに立ち上がっている。図１（Ａ）に示すように、椅子には、オプション品として肘掛け１９を設けることができる。
【００２８】
(2).背もたれの構造
例えば図６に明示するように、正面視において、背もたれ２のうち左右側縁は、着座者の腰部のあたりに位置する分が左右に膨れている。従って、背もたれ２のうち前向き部１５を除いた部分（着座者の体圧を受ける必須の部分）は、正面視で略六角形になっており、各頂点部は丸みを持っている。
【００２９】
更に、背もたれ２は、例えば図７（Ａ）に示すように、側面視では、着座者の腰部を支える部分（ランバーサポート部）が最も前に位置するように前向き凸状に曲がって、平面視では、図７（Ｂ）に明示するように、左右側部が斜め前向き姿勢となって前向きに凹んでいる。
【００３０】
従って、背もたれ２は、概ね着座者の腰部の高さに位置した左右長手の稜線（ランバーサポート部）を挟んで上下のエリアに分かれて、上下のエリアは、それぞれ左右の傾斜エリアと、傾斜エリアの間に位置したセンターエリアに分かれている。従って、背もたれ２は、上センターエリア２１と左右の上サイドエリア２２、下センターエリア２３と左右の下サイドエリア２４との６つのエリアに分かれている。
【００３１】
かつ、上下センターエリア２１，２３はセンター横長ヒンジ部２５を介して一体に繋がり、上下サイドエリア２２，２４はサイド横長ヒンジ部２６を介して一体に繋がり、上センターエリア２１と上サイドエリア２２は上縦長ヒンジ部２７を介して一体に繋がり、下センターエリア２３と下サイドエリア２４とは、下縦長ヒンジ部２８を介して一体に繋がっている。左右の上縦長ヒンジ部２７は上に向けて間隔が広がるように傾斜しており、左右の下縦長ヒンジ部２８は、下に向けて間隔が広がるように傾斜している。従って、上センターエリア２１は上広がりの台形になって、下センターエリア２３は下広がりの台形状になっている。
【００３２】
図７（Ｂ）に明示するように、各ヒンジ部２５，２６，２７，２８は薄肉化によって形成しており、概ね５０〜６０ｍｍ程度の幅を有している。従って、各ヒンジ部２５，２６，２７，２８は、それ自体が湾曲した形態になっている。また、サイド横長ヒンジ部２６は、左右外側に向けて幅寸法が若干広がっている。他のヒンジ部２５，２７，２８はほぼ等幅になっている。
【００３３】
図７（Ａ）に明示するように、背もたれ２のうち上センターエリア２１の下端部が背支柱１８に連結されている。また、背もたれ２には、円形の多数の小穴２９が斜め格子方向に整列して多数形成されている。各小穴２９は、基本的に前後に開口した貫通穴であるが、背支柱１８との取付け部では、貫通せずに前にだけ開口した形態になっているものがある（図１２参照）。
【００３４】
小穴２９の群は、各ヒンジ部２５，２６，２７，２８にも多数形成されている。ヒンジ部２５，２６，２７，２８は、多数の小穴２９が存在することにより、容易に変形する。小穴２９の内径は数ｍｍであり、斜め方向のピッチは内径の２倍程度になっているが、これは一例であり、内径やピッチ、配列態様は任意に設定できる。内径が異なる複数種類の小穴２９を形成してもよい。
【００３５】
(3).背もたれの意義
着座者が例えば執務を行う場合は、腰部をセンター横長ヒンジ部２５に当てることにより、上半身を直立させた姿勢を長時間に亙ってとり続けることができる。従って、身体への負担が少ない姿勢をとり続けることができる。この場合、センター横長ヒンジ部２５は、縦断側面視で緩く湾曲しているため、着座者の腰部への当たりは柔らかくて快適である。
【００３６】
着座者の腰部の体圧によってセンター横長ヒンジ部２５がある程度の強さで押されると、センター横長ヒンジ部２５は上下に広がるように変形し、左右のサイドエリア２２，２４が内側に引っ張られる。その結果、背もたれ２は内向きに窄まるような傾向を呈する。換言すると、背もたれ２が着座者の身体を包むような状態に変形する。従って、着座者の身体の姿勢安定性は高くなる。
【００３７】
本実施形態の背もたれ２はロッキングしないが、背支柱１８との連結部には多少のクリアランスがあるため、僅かながら後傾できる。そして、着座者が身体を伸ばすようにして背もたれ２にもたれ掛かると、体圧の作用点が背支柱１８の上端よりも上に位置することにより、図３に矢印３１で示すように、上エリア２１，２２が少し後傾し得る。
【００３８】
この場合、上エリア２１，２２が後傾すると、背もたれ２が全体として広がる傾向を呈するため、横長ヒンジ部２５，２６は曲がりやすくなる。また、横長ヒンジ部２５，２６は帯状でもともと前後方向に曲がり変形しやすいため、上エリア２１，２２の後傾は更に容易になる。
【００３９】
また、背もたれ２の下端は補強板１６に連結されているため、着座者の体圧が横長ヒンジ部２５，２６よりも上の部位に作用すると、横長ヒンジ部２５，２５は、縦断側面視での曲がりの程度を小さくする傾向を呈する。すると、左右エリア２２、２４は外側に広がる傾向を呈する。
【００４０】
つまり、着座者の体圧が横長ヒンジ部２５，２６よりも上の部分に作用すると、背もたれ２は、偏平な状態に変形しようとする。このため、窮屈感を無くしてリラックス状態を得ることができる。また、背もたれ２は弾性変形するため、着座者が身体を後傾させようとする動きに対するクッション性も保持できる。この面でも、快適性を向上できる。
【００４１】
着座者が身体を右又は左に傾けた状態で背もたれ２にもたれ掛かったり、着座者が身体を右又は左に偏らせた状態で座１に腰掛けていて、その状態で背もたれ２にもたれ掛かったりすると、センター横長ヒンジ部２５に体圧が強く作用するが、本実施形態では、縦長ヒンジ部２７，２８は広幅で変形しやすいため、図３に矢印３２で示すように、片側の上下サイドエリア２２，２４が一緒に後ろ側に回動する。従って、着座者が身体を偏らせて後傾しても、身体に追従して変形する機能に優れているし、着座者の身体への当たりも柔らかい。従って、快適さを向上できる。
【００４２】
着座者が上半身を右又は左に傾けた状態（或いは上半身を捩じった状態）で背もたれ２にもたれ掛かることも多くあるが、この場合、図３及び図７（Ｂ）に矢印３３で示すように、片側の上サイドエリア２２に強く作用する。すると、本実施形態では、図７（Ｂ）に一点鎖線で示すように、上サイドエリア２２が後ろに大きく後傾（回動）しうる。この点においても、身体の動きに追従して背もたれ２が変形する機能に優れている。
【００４３】
以上のとおり、本実施形態の背もたれ２は、合成樹脂製の単一品でありながら、着座者の身体への高い追従性を確保して弾性変形できる。従って、シンプルな構造でありながら着座者の身体へのフィット性、クッション性に優れており、高い品質を確保できる。
【００４４】
(4).背もたれと座アウターシェルとの連結構造
次に、主として図８，９を参照して、背もたれ２と座アウターシェル８との連結構造を説明する。既述のとおり、座アウターシェル８の後部上面には、左右長手の補強板１６がビス（図示せず）で固定されており、この補強板１６に軸受け部１７が形成されている。
【００４５】
例えば図９（Ｂ）に示すように、補強板１６の軸受け部１７は、切り起こしによって形成されており、起立部とその上端から後ろに向いた水平片とを有して側面逆Ｌ形の形態になっている。他方、図８（Ｂ）及び図９（Ａ）に示すように、背もたれ２における前向き部１５の左右両端部には、軸受け部１７に下方から係合する左右長手の第１ボス部３５が一体に形成されている。
【００４６】
座アウターシェル８の後面は後ろ壁３７で規定されており、背もたれ２の前向き部１５後ろ壁３７に載っている。後ろ壁３７と軸受け部１７との間に逃がし空所３６を形成しており、この逃がし凹所に第１ボス部３５が入り込んでいると共に、背もたれ２のロア部１８ａには、逃がし空所３６に入り込んで後ろ壁３７の前面に係合する第２ボス部（段部）段部３８が形成されている。
【００４７】
第１ボス部３５及び第２ボス部３８は可動係合部を構成して、座アウターシェル８の後ろ壁３７と補強板１６の軸受け部１７とは、固定係合部を構成している。なお、第２ボス部３８の下端と第１ボス部３５の下端とを同一面状に揃えることも可能である。
【００４８】
背もたれ２の下端は、後ろ第２ボス部３８が後ろ壁３７の前面に係合する（当たる）ことによって後ろ向き移動不能に保持され、更に、第１ボス部３５が軸受け部１７に下方及び後方から係合する（当たる）ことにより、上向き動不能及び前進動不能に保持されている。背もたれ２の第１ボス部３５は、前向き部１５の前端から下方に段落ちした状態に形成されており、側面視で前後長手の長円形状になっている。
【００４９】
座アウターシェル８の後ろ壁３７は、座１の後端よりも手前に位置している。従って、座インナーシェル６のうち座アウターシェル８の後ろに位置した後部は、オーバーハング部６ａになっている。このオーバーハング部６ａは、ヒンジ部６ｂにより、着座者の体圧によって後傾可能になっている。
【００５０】
背もたれ２の取付けは、まず、背もたれ２を、図８（Ｂ）に示すように、その前向き部１５が下向き姿勢になるように手前側に大きく倒れた非使用姿勢にしてから、ボス部３５，３８を逃がし空所３６に嵌め込み、次いで、背もたれ２を所定の姿勢に起こし、次いで、背もたれ２の上部を背支柱１８の上端部に連結する、という手順で行われる。従って、背もたれ２の下部の連結は、ビス等のファスナを使用することなくワンタッチ的に行うことができる。従って、椅子の組み立ての手間を軽減できる。
【００５１】
図９（Ａ）に示すように、逃がし空所３６の箇所に左右のリブ３６ａを形成しており、リブ３６ａの上面は、側面視で上向きに凹んだ湾曲面（ガイド面）３６ｂになっている。そして、左右のリブ３６ａは、平面視で第１ボス部３５と重なるように配置されている。背もたれ２の前向き部１５には、逃がし空所３６に入り込んで後ろ壁３７の前面に係合する第２ボス部（段部）段部３８が形成されている。
【００５２】
そして、背もたれ２の取付けに当たっては、背もたれ２を前傾した非使用姿勢から使用姿勢に起こす（後傾させる）において、第１ボス部３５がリブ３６ａの湾曲面３６ｂに当たっていて、湾曲面３６ｂを支点にして背もたれ２の回動を行えるため、背もたれ２を所定の姿勢に保持することを自動的に行える。従って、背もたれ２の組み付けを、迅速かつ正確に行うことがより確実になる。
【００５３】
補強板１６は、図１（Ａ）に示す肘掛け１９の取付けにも使用されている。図５（Ａ）及び図９（Ｂ）に示すように、座アウターシェル８の後部のうち補強板１６の左右端部の下方部位に、平坦で三角形状の固定座３９ａを形成する一方、補強板１６の左右両端部に、固定座３９ａに上から重なる重合部３９ｂを形成しており、固定座３９ａ及び重合部３９ｂに、ビスの軸部が上方から挿通される貫通穴４０ａ，４０ｂを形成している。ビスは、肘掛け１９のベース部に設けたナット部にねじ込まれている。
【００５４】
補強板１６の重合部３９ｂは、図示しないビスによって座アウターシェル８の固定座３９ａに固定されている。図８（Ａ）や図９（Ｂ）に示すように、補強板１６のうち左右中間部寄りの部位にも、補強板１６を固定するためのビス穴１６ａが空いている。
【００５５】
(5).背もたれと背支柱との連結構造
次に、背もたれ２と背支柱１８との連結構造を、図１０〜１２を参照して説明する。図１０〜１２の各図に示すように、背もたれ２の上センターエリア２１のうち下部の左右中間部に、左右の側壁４１とこれに連続した庇板４２とを有するブラケット部４３が形成されており、ブラケット部４３の内部に継手部材４４が左右長手のピン４５で連結されていて、継手部材４４が背支柱１８の上端部に連結されている。
【００５６】
ブラケット部４３を構成する左右側壁４１の上部に厚肉状の軸支部４１ａが形成されており、継手部材４４の上部がピン４５によって軸支部４１ａに連結されている。ブラケット部４３における庇板４２の下方には、ピン４５を斜め上方から支持する支持片４７が、左右方向に並んで多数形成されている。
【００５７】
継手部材４４は合成樹脂製であり、背支柱１８の側に位置した背板（基板）４８と、左右の側板４９と、上面板５０及び下面板５１とを有しており、全体としては、背もたれ２のブラケット部４３に向けて開口した箱状の形態を成しており、側板４９の上部を上向きに延出させて軸受け部４９ａを形成し、これにピン４５が挿通している。ピン４５の左右両端部は、ブラケット部４３の外側にはみ出た露出部になっている。また、上面板５０の先端には、上向きリブ５０ａを形成している。
【００５８】
背支柱１８は、基板とその左右両端に設けた前向きの側板１８ｂとによって樋状の形態を成しており、上端部に、側板１８ｂの前向き突出寸法を大きくした抱持部（ポケット部）５２が形成されて、この抱持部５２に、背もたれ２のブラケット部４３及び継手部材４４が入り込んでいる。抱持部５２の上面は天板で塞がれている。
【００５９】
そして、抱持部５２の内部には、ブラケット部４３を左右両側から囲う左右の内壁５３が形成されており、内壁５３の上部に、ピン４５の露出部４５ａが上から嵌まり込む軸受け溝５４を形成している。内壁５３の下端は、リブを介して側板１８ｂと接続されており、内壁５３と側板１８ｂとの間に形成された空間に、背もたれ２のブラケット部４３が入り込むようになっている。
【００６０】
図１１（Ａ）に示すように、軸受け溝５４は、鉛直線に対して少し前傾している。また、背支柱１８の抱持部５２に、左右中間部に位置した係合爪５５と、その左右両側に位置した位置決め突起５６を前向きに突設している。
【００６１】
一方、継手部材４４の背板４８には、係合爪５５が嵌入し係合する係合穴を有する角形の係合ボス部５７と、位置決め突起５６が嵌まり込む角筒状の位置決めボス部５８とを形成している。係合爪５５の先端には下向きの鉤部が形成されており、係合爪５５が係合ボス部５７の先端に引っ掛かり係合することにより、背もたれ２が、継手部材４４を介して背支柱１８に外れ不能に連結される。また、左右の位置決め突起５６が位置決めボス部５８は上下左右にガタツキのない状態に保持されている。
【００６２】
背もたれ２の取付け手順としては、まず、予め継手部材４４を背もたれ２のブラケット部４３にピン４５で連結しておく。そして、既に述べた手順で背もたれ２の下端部を座アウターシェル８の後端部に連結しつつ、背もたれ２を使用姿勢に起こすことにより、ピン４５の露出部４５ａを背支柱１８の軸受け溝５４に上から嵌め込む。次いで、継手部材４４を背支柱１８の抱持部５２に押し付けて、係合爪５５に対する係合ボス部５７の嵌め込みと、位置決め突起５６に対する位置決めボス部５８の嵌め込みとを行う。
【００６３】
係合爪５５に対する係合ボス部５７の嵌め込みと、突起５６に対する位置決めボス部５８の嵌め込みとは、継手部材４４を、ピン４５を支点にして後ろ向きに回動させることによって行う。
【００６４】
係合爪５５に対する係合ボス部５７の嵌め込みに伴い、係合爪５５が、弾性に抗していったん逃げ回動してから戻り回動することにより、鉤部が係合ボス部５７に引っ掛かった状態になって、継手部材４４及び背もたれ２は、背支柱１８に対して上下左右に離脱不能に保持される。これにより、ピン４５の露出部４５ａが軸受け溝５４に嵌まり込んだ状態に保持される。従って、背もたれ２の取付けをワンタッチ的に行うことができる。
【００６５】
背もたれ２を取り外す場合は、係合爪５５を指先又は工具で上向きに回動させることにより、係合ボス部５７に対する係合爪５５の係合を解除してから、継手部材４４を手前に回動させることにより、位置決め突起５６と位置決めボス部５８との嵌合を解除し、次いで、背もたれ２の上部を上向きに引いて、ピン４５を軸受け溝５４から抜き外す、という手順を踏むことになる。
【００６６】
例えば図１１（Ｃ）及び図１２に示すように、背支柱１８の上端部内に、ピン４５に対して上斜め後方から当たる受けリブ５９の群を左右に多数並設している。正確には、受けリブ５９の前面は前倒れ姿勢になっている。従って、着座者の体圧によって背もたれ２に後ろ向きの外力が掛かると、ピン４５は、受けリブ５９によって下向きに押される傾向を呈して、軸受け溝５４に深く押し込まれる外力を受ける。従って、着座者の体圧によって背もたれ２が背支柱１８から外れるような不具合は皆無である。
【００６７】
さて、図１１（Ａ）から理解できるように、受けリブ５９の前面は軸受け溝５４の開口方向と殆ど平行になっており、従って、受けリブ５９の前面と直交した垂線は、軸受け溝５４の開口方向と直交している。
【００６８】
そして、着座者の体圧がピン４５よりも下方に作用すると、背もたれ２はその上部が手前に向けて回動する傾向を呈することになり、すると、ピン４５は図１２において時計回りに回転する傾向を呈しつつ、軸受け溝５４から抜けようとするが、前傾姿勢の受けリブ５９を設けると、ピン４５が時計回り方向に回転することが摩擦によって抑制されると共に、背もたれ２に対する押圧力に上向きの分力があっても、上向きの分力は受けリブ５９によって押さえられて、上向き動することが防止される。従って、ピン４５の抜けを確実に防止できる。
【００６９】
着座者の体圧がピン４５よりも上方に作用すると、背もたれ２の上部はピン４５を支点にして後傾する傾向を呈するが、この場合は、着座者の体圧による後ろ向きの押圧力は下向きの分力を含んでいるため、ピン４５は、軸受け溝５４及びガイド受けリブ５９のガイド作用により、軸受け溝５４に深く押し込まれるような外力を受ける。従って、ピン４５が軸受け溝５４から抜け出ることは皆無である。
【００７０】
受けリブ５９はこのように優れた機能を有しているが、ピン４５が受けリブ５９に当たることが長期に亙って繰り返されると、受けリブ５９が磨滅して樹脂粉が発生することがあり、この樹脂粉が床に落下したり、背もたれ２の前向き部１５に落下したりして人目に触れると、美観を損なうおそれがある。
【００７１】
この点について本実施形態では、図１２に明示するように、継手部材４４の上面板５０を受けリブ５９及びピン４５の直下部に位置させて、上面板５０の先端に上向きリブ５０ａを形成することにより、上面板５０を樹脂粉の受け部材として機能させている。従って、樹脂粉の落下による美観の悪化を、構造を複雑化することなく防止できる。
【００７２】
背もたれ２の下端は、若干のクリアランスを持って座アウターシェル８に連結されており、また、背支柱１８との連結部では、ピン４５を支点にして少し前後傾動し得る。従って、背もたれ２は僅かながら前後方向に回動可能である。
【００７３】
本実施形態では、背もたれ２に設けた庇板４２は抱持部５２の内部に入り込んでいるため、庇板４２が抱持部５２の天板に当たることによっても、背もたれ２の上向き移動が阻止されている。従って、背もたれ２の安定性が高い。また、庇板４２の上面は側面視で緩く湾曲しているため、背もたれ２がピン４５を中心にして回動することが許容されている。従って、背もたれ２が着座者の動きに追従して回動することを、スムース化できる。
【００７４】
(6).その他
以上、本願発明の実施形態を説明したが、本願発明は他にも様々に具体化できる。例えは、継手部材を背支柱にピンで連結して、継手部材を係合手段で背もたれに連結することも可能である。係合手段としては、実施形態のような係合爪の箱型係合ボス部との組み合わせには限らず、係合爪と係合爪との組み合わせなども採用できる。係合穴を有する係合片と、係合穴に嵌合する係合突起との組み合わせも採用可能である。係合手段を複数形成することも可能である。
【００７５】
継手部材と抱持部との位置決め手段としては、位置決め突起と位置決め穴との組み合わせや、継手部材の外周をリブで囲うといったことも採用可能である。実施形態では継手部材はピンで吊支されているが、継手部材を背もたれの背面又は背支柱の前面に重ねた状態に配置することも可能である。この場合は、背もたれを背支柱に押し当てることにより、係合部同士を係合させることができる。
【００７６】
実施形態では背もたれを背板のみで構成したが、少なくとも前面に背クッションを張った構造にしたり、前後面をクロス等の袋状表皮材で覆ったりすることも可能である。フレームにメッシュ材を張った構造の背もたれにも適用できる。また、本願発明は、背もたれ及び背支柱がばね手段に抗して後傾するロッキング椅子にも適用できる。
【００７７】
また、実施形態のように背もたれを複数のエリアがヒンジ部で繋がった構成とする場合、特許文献１と同様に、背板を、上段のエリアと中段のエリアと下段のエリアとの３段式に構成して、格段をセンターエリアと左右のサイドエリアとに分けることも可能ある。この場合は、上段においてセンターエリアとサイドエリアとを繋ぐ左右の縦長ヒンジ部は、上に向けて互いの間隔が狭まる姿勢とするのが好ましい。背支柱は、座アウターシェルとは別部材に構成してもよい。
【００７８】
背もたれ（背板）の下端は、座の後端や背支柱の下端部（前後方向に延びる部分）に連結することも可能である。或いは、座アウターシェルでない他の座受け部材（例えば、ベースや、ベースと座アウターシェルとの間に配置された中間金具など）に連結することも可能である。
【００７９】
本願発明は、背もたれがばね手段に抗して後傾動するロッキング椅子にも適用できる。脚装置はガスシリンダ方式である必要はないのであり、４本足方式等の非回転椅子にも適用できる。
【産業上の利用可能性】
【００８０】
本願発明は、椅子に具体化できる。従って、産業上利用できる。
【符号の説明】
【００８１】
１  座
２  背もたれ
１８  背支柱
１８ａ  側板
４１  ブラケット部
４２  庇片
４５  ピン
４４  継手部材
５０  上面板（粉受け部）
５２  抱持部
４３  抱持部に設けた内壁
５４  軸受け溝
５５  係合部の一例としての係合爪
５６  位置決め突起
５７  係合ボス部
５８  位置決めボス部
５９  受けリブ
【図１】
2020039466.tif 000003
【図２】
2020039466.tif 000004
【図３】
2020039466.tif 000005
【図４】
2020039466.tif 000006
【図５】
2020039466.tif 000007
【図６】
2020039466.tif 000008
【図７】
2020039466.tif 000009
【図８】
2020039466.tif 000010
【図９】
2020039466.tif 000011
【図１０】
2020039466.tif 000012
【図１１】
2020039466.tif 000013
【図１２】
2020039466.tif 000014